(57)【要約】【課題】印刷物における表現力を広く拡張し、操作者の利便性を向上する。【解決手段】印字ラベル作成装置３は、特定の文字列を、当該特定の文字列を変換するための特定の画像又はシンボルに対応付けた、レコードを含むテーブル４０を記憶するテーブル記憶部２０１３を有し、通信制御部２０８を介して受信された印刷指示信号が指定する、データベース記憶部２０１１に記憶されたデータベース３０のレコードに、特定の文字列が含まれているか否かを判定し、印刷指示信号が指定するレコードに特定の文字列が含まれていると判定された場合、当該特定の文字列を、テーブル記憶部２０１３に記憶されたテーブル４０のレコードを用いて特定の画像又はシンボルに変換し、その変換した特定の画像又はシンボルを、テンプレート記憶部２０１２に記憶されたテンプレートＴに沿って割り付けて印刷するように、搬送装置２０９及び印字ヘッド２０５を連携して制御する。【選択図】図８
2014188778.tif 000002
【特許請求の範囲】
【請求項１】
被印字媒体を搬送する搬送手段と、
前記搬送手段により搬送される前記被印字媒体に対し所望の印字を行う印字手段と、
複数のフィールドに対し文字列をそれぞれ割り当てたレコードを少なくとも１つ含むデータベースを、操作端末から取得する取得手段と、
前記取得手段により取得された前記データベースを記憶する第１記憶手段と、
前記データベースの各レコードにおいて前記複数のフィールドにそれぞれ割り当てられた複数の前記文字列を、所定の態様で割り付けるためのテンプレートを記憶する第２記憶手段と、
前記第１記憶手段に記憶された前記データベースに含まれる少なくとも１つの前記レコードを指定した印刷指示信号を前記操作端末から受信する第１受信手段と、
前記第１受信手段が前記印刷指示信号を受信した場合に、当該印刷指示信号により指定された前記レコードに含まれる複数の前記文字列を、前記第２記憶手段に記憶された前記テンプレートに沿って割り付けることで、前記指定された各レコードごとに１つの印刷物を作成するように、前記搬送手段及び前記印字手段を連携して制御する制御手段と、
を有する印刷物作成装置であって、
特定の文字列を、当該特定の文字列を変換するための特定の画像又はシンボルに対応付けた、変換用相関を記憶する第３記憶手段と、
前記第１受信手段により受信された前記印刷指示信号が指定する前記レコードに、前記特定の文字列が含まれているか否かを判定する判定手段と、
を有し、
前記制御手段は、
前記判定手段により、前記印刷指示信号が指定する前記レコードに前記特定の文字列が含まれていると判定された場合には、当該特定の文字列を前記第３記憶手段に記憶された前記変換用相関を用いて前記特定の画像又はシンボルに変換し、その変換した特定の画像又はシンボルを前記テンプレートに沿って割り付けて印刷するように、前記搬送手段及び前記印字手段を連携して制御する
ことを特徴とする印刷物作成装置。
【請求項２】
請求項１記載の印刷物作成装置において、
前記操作端末より送信された前記変換用相関を受信する第２受信手段を有し、
前記第３記憶手段は、
第２受信手段により受信された前記変換用相関を記憶する
ことを特徴とする印刷物作成装置。
【請求項３】
請求項２記載の印刷物作成装置において、
前記第２受信手段により受信され前記第３記憶手段に記憶された前記変換用相関における、前記特定の文字列と前記特定の画像又はシンボルとの対応付けを、変更操作可能な操作手段を有する
ことを特徴とする印刷物作成装置。
【発明の詳細な説明】
【技術分野】
【０００１】
本発明は、印刷物の作成を行う印刷物作成装置に関する。
【背景技術】
【０００２】
従来、印刷物の作成を行う印刷物作成装置が知られている（例えば、特許文献１参照）。この印刷物作成装置（印刷装置）は、テンプレートにより割り付けられる文字列の内容を、データベースのレコードにより指定する、いわゆるデータベース印刷を行うことができる。データベース印刷が行われると、データベースの指定されたレコードにおいて複数のフィールドにそれぞれ割り当てられた複数の文字列がテンプレートに沿って割り付けられた印刷物が作成される。
【先行技術文献】
【特許文献】
【０００３】
【特許文献１】特開２００６−３０９４７３号公報
【発明の概要】
【発明が解決しようとする課題】
【０００４】
ここで、上記データベースの各レコードには、複数のフィールドそれぞれに関する文字列が含まれるのみである。これに対し、印刷物における表現量を広く拡張するために、特定の文字列を特定の画像やシンボルに置き換え、その置き換えた特定の画像やシンボルがテンプレートに沿って割り付けられた印刷物を作成したいという、操作者のニーズが生じることがある。上記従来技術では、このような点までの配慮は特になされていないため、操作者自身で特定の文字列を特定の画像やシンボルに置き換える操作を行わなければならず、不便である。
【０００５】
本発明の目的は、印刷物における表現力を広く拡張でき、操作者の利便性を向上できる、印刷物作成装置を提供することにある。
【課題を解決するための手段】
【０００６】
上記目的を達成するために、本願発明は、被印字媒体を搬送する搬送手段と、前記搬送手段により搬送される前記被印字媒体に対し所望の印字を行う印字手段と、複数のフィールドに対し文字列をそれぞれ割り当てたレコードを少なくとも１つ含むデータベースを、操作端末から取得する取得手段と、前記取得手段により取得された前記データベースを記憶する第１記憶手段と、前記データベースの各レコードにおいて前記複数のフィールドにそれぞれ割り当てられた複数の前記文字列を、所定の態様で割り付けるためのテンプレートを記憶する第２記憶手段と、前記第１記憶手段に記憶された前記データベースに含まれる少なくとも１つの前記レコードを指定した印刷指示信号を前記操作端末から受信する第１受信手段と、前記第１受信手段が前記印刷指示信号を受信した場合に、当該印刷指示信号により指定された前記レコードに含まれる複数の前記文字列を、前記第２記憶手段に記憶された前記テンプレートに沿って割り付けることで、前記指定された各レコードごとに１つの印刷物を作成するように、前記搬送手段及び前記印字手段を連携して制御する制御手段と、を有する印刷物作成装置であって、特定の文字列を、当該特定の文字列を変換するための特定の画像又はシンボルに対応付けた、変換用相関を記憶する第３記憶手段と、前記第１受信手段により受信された前記印刷指示信号が指定する前記レコードに、前記特定の文字列が含まれているか否かを判定する判定手段と、を有し、前記制御手段は、前記判定手段により、前記印刷指示信号が指定する前記レコードに前記特定の文字列が含まれていると判定された場合には、当該特定の文字列を前記第３記憶手段に記憶された前記変換用相関を用いて前記特定の画像又はシンボルに変換し、その変換した特定の画像又はシンボルを前記テンプレートに沿って割り付けて印刷するように、前記搬送手段及び前記印字手段を連携して制御することを特徴とする。
【０００７】
本願発明の印刷物作成装置は、テンプレートにより割り付けられる文字列の内容を、データベース内のレコードにより指定する、いわゆるデータベース印刷を行うことができる。すなわち、取得手段により操作端末から取得されたデータベースは、第１記憶手段に記憶されている。またテンプレートは、第２記憶手段に記憶されている。操作端末において、上記データベースに含まれる少なくとも１つのレコードを指定した印刷指示が行われると、対応する印刷指示信号が第１受信手段により受信される。そして、制御手段の制御に基づき、搬送手段及び印字手段により、その指定されたレコードに含まれる複数の文字列が上記テンプレートに沿って割り付けられた印刷物が作成される。
【０００８】
ここで、上記のように操作端末から印刷物作成装置に対し事前に送信されるデータベースの各レコードには、複数のフィールドそれぞれに関する文字列が含まれるのみである。これに対し、本願発明の印刷物作成装置では、装置側独自に、特定の文字列を、対応する特定の画像又はシンボルに変換することができる。そのために、本願発明の印刷物作成装置では、第３記憶手段と、判定手段とが設けられる。第３記憶手段には、上記変換を行うための、特定の文字列と、特定の画像又はシンボルとを対応付けた、変換用相関が記憶されている。そして、上記のようにして印刷指示信号が受信されたときには、判定手段が、その指示信号が指定するレコードに、上記特定の文字列が含まれているか否かを判定する。特定の文字列が含まれており判定が満たされた場合には、制御手段の制御に基づき、当該特定の文字列が上記変換用相関を用いて特定の画像又はシンボルに置き換えられる。そして、上記特定の文字列に代えその置き換えられた特定の画像又はシンボルが上記テンプレートに沿って割り付けられて、対応する印刷物が作成される。
【０００９】
以上のようにして、本願発明の印刷物作成装置では、特定の文字列を特定の画像又はシンボルに自ら変換する機能を備えることにより、操作端末側からの指示は従来通りの文字列を含むレコードに対する印刷指示としつつ、実際に作成される印刷物における表現力を広く拡張することができる。この結果、操作者の利便性を向上することができる。
【発明の効果】
【００１０】
本発明によれば、印刷物における表現力を広く拡張することができるので、操作者の利便性を向上することができる。
【図面の簡単な説明】
【００１１】
【図１】本発明の一実施の形態の印字ラベル作成装置を備えた印字ラベル作成システムの全体構成を模式的に表すシステム構成図である。
【図２】操作端末及び印字ラベル作成装置の構成を模式的に表すブロック図である。
【図３】データベースの一例を表す説明図である。
【図４】テンプレートの一例を表す説明図である。
【図５】テーブルの一例を表す説明図である。
【図６】変換された態様のテーブルの一例を表す説明図である。
【図７】作成された３つの印字ラベルを表す説明図である。
【図８】制御回路が実行する制御手順を表すフローチャートである。
【図９】ステップＳ２００の詳細手順を表すルーチンである。
【発明を実施するための形態】
【００１２】
以下、本発明の一実施の形態を図面を参照しつつ説明する。
【００１３】
まず、図１を参照しつつ、本実施形態の印字ラベル作成装置を備えた印字ラベル作成システムの全体構成を説明する。
【００１４】
図１に示すように、印字ラベル作成システム１は、操作端末２と、印字ラベル作成装置３（印刷物作成装置）とを有する。操作端末２と印字ラベル作成装置３とは、相互通信可能に接続されている。
【００１５】
操作端末２としては、操作者が操作可能な端末であれば特に限定されるものではなく、例えば、汎用ＰＣやタブレットＰＣ、ＰＤＡ、多機能携帯電話等が使用可能である。図１に示す例では、操作端末２として汎用ＰＣを使用した場合を示している。
【００１６】
印字ラベル作成装置３は、操作者による操作端末２を介した適宜の操作に基づき、所望の印字を備えた印字ラベルＬ（印刷物）の作成を行う。
【００１７】
次に、図２を参照しつつ、操作端末２及び印字ラベル作成装置３の構成を説明する。
【００１８】
図２に示すように、操作端末２は、ＣＰＵ１２と、例えばＲＯＭやＲＡＭ等からなるメモリ１３と、各種操作が可能な操作部１４と、各種表示を行う表示部１７と、各種情報を記憶する記憶装置１６と、印字ラベル作成装置３との間での各種情報・指示信号の授受の制御を行う通信制御部１５とを有する。
【００１９】
ＣＰＵ１２は、ＲＡＭの一時記憶機能を利用しつつＲＯＭ又は記憶装置１６に予め記憶されたプログラムに従って信号処理を行うことで、操作端末２全体の制御を行う。例えば、ＣＰＵ１２は、通信制御部１５を介して印字ラベル作成装置３との間で各種情報・指示信号の送受を行う。
【００２０】
印字ラベル作成装置３は、テープロールホルダ部２１０と、搬送装置２０９（搬送手段）と、印字ヘッド２０５（印字手段）と、カッタ２０７と、制御回路２０２と、各種操作が可能な操作部２０６（操作手段）と、各種表示を行う表示部２１１と、各種情報を記憶する記憶装置２０１と、操作端末２との間での各種情報・指示信号の授受の制御を行う通信制御部２０８とを有する。
【００２１】
テープロールホルダ部２１０は、テープ２０３（被印字媒体）を巻回した（本来は渦巻き状であるが簡略化して同心円で図示する）テープロール２０４を着脱可能（又はテープロール２０４を備えたカートリッジを着脱可能）となっている。
【００２２】
搬送装置２０９は、テープロール２０４に巻回されたテープ２０３を搬送する。
【００２３】
印字ヘッド２０５は、搬送装置２０９に対向して設けられ、搬送装置２０９によりテープロール２０４から繰り出されて搬送されるテープ２０３に対し所望の印字を行う。
【００２４】
カッタ２０７は、印字の終了したテープ２０３を所定の長さに切断することで、上記印字ラベルＬとする。
【００２５】
制御回路２０２は、図示しないＲＡＭの一時記憶機能を利用しつつ図示しないＲＯＭ又は記憶装置２０１に予め記憶されたプログラムに従って信号処理を行うことで、印字ラベル作成装置３全体の制御を行う。例えば、制御回路２０２は、通信制御部２０８を介して操作端末２との間で各種情報・指示信号の送受を行う。
【００２６】
記憶装置２０１には、複数のフィールドに対し文字列（１文字も含む）をそれぞれ割り当てたレコードを少なくとも１つ含むデータベース３０（後述の図３参照）が記憶されるデータベース記憶部２０１１（第１記憶手段）が設けられている。本実施形態では、操作端末２側で作成されたデータベース３０が、操作端末２から通信制御部１５を介して送信され、印字ラベル作成装置３において通信制御部２０８を介して受信（取得）されて、データベース記憶部２０１１に記憶されるようになっている。
【００２７】
図３に、上記データベース３０の一例を示す。
【００２８】
図３に示すデータベース３０では、横１行のデータ群を１つのレコードとして、各レコードに、番号を表す文字列を割り当てた番号フィールド３１、名前を表す文字列を割り当てた名前フィールド３２、性別を表す文字列を割り当てた性別フィールド３３、及び、分類を表す文字列を割り当てた分類フィールド３４が含まれている。
【００２９】
例えば、このデータベース３０の１行目のレコードでは、番号フィールド３１に番号を表す文字列として「１」、名前フィールド３２に名前を表す文字列として「鈴木」、性別フィールド３３に性別を表す文字列として「男」、分類フィールド３４に分類を表す文字列として「お祝い」が、それぞれ割り当てられている。同様に、２行目のレコードでは、番号フィールド３１に番号を表す文字列として「２」、名前フィールド３２に名前を表す文字列として「伊藤」、性別フィールド３３に性別を表す文字列として「男」、分類フィールド３４に分類を表す文字列として「子供」が、それぞれ割り当てられている。同様に、３行目のレコードでは、番号フィールド３１に番号を表す文字列として「３」、名前フィールド３２に名前を表す文字列として「河合」、性別フィールド３３に性別を表す文字列として「女」、分類フィールド３４に分類を表す文字列として「ペット」が、それぞれ割り当てられている。同様に、４行目のレコードでは、番号フィールド３１に番号を表す文字列として「４」、名前フィールド３２に名前を表す文字列として「石田」、性別フィールド３３に性別を表す文字列として「男」、分類フィールド３４に分類を表す文字列として「キッチン」が、それぞれ割り当てられている。同様に、５行目のレコードでは、番号フィールド３１に番号を表す文字列として「５」、名前フィールド３２に名前を表す文字列として「友松」、性別フィールド３３に性別を表す文字列として「男」、分類フィールド３４に分類を表す文字列として「ビジネス」が、それぞれ割り当てられている。
【００３０】
図２に戻り、記憶装置２０１には、また、上記データベース３０の各レコードにおいて複数のフィールドにそれぞれ割り当てられた複数の文字列を所定の態様で割り付けるためのテンプレートＴ（後述の図４参照）が記憶されるテンプレート記憶部２０１２（第２記憶手段）が設けられている。本実施形態では、予め、テンプレートＴがテンプレート記憶部２０１２に記憶されている。
【００３１】
図４に、上記テンプレートＴの一例を示す。
【００３２】
図４に示すテンプレートＴは、上記図３に示すデータベース３０の各レコードにおいて４つのフィールド３１〜３４にそれぞれ割り当てられた４つの文字列を所定の態様で割り付けるためのテンプレートである。このテンプレートＴでは、固定文字列「ＮＯ．」が左側上部に配置されると共に、４つの割付枠Ｆ１，Ｆ２，Ｆ３，Ｆ４が所定の態様で割り付けられている。
【００３３】
割付枠Ｆ１は、上記図３に示すデータベース３０の各レコードにおいて番号フィールド３１に割り当てられた文字列に対応する割り付け枠であり、上記固定文字列「ＮＯ．」の後に続くように当該固定文字列「ＮＯ．」の右側に配置されている。
【００３４】
割付枠Ｆ４は、上記図３に示すデータベース３０の各レコードにおいて分類フィールド３４に割り当てられた文字列に対応する割り付け枠であり、上記固定文字列「ＮＯ．」及び割付枠Ｆ１の下側に配置されている。
【００３５】
割付枠Ｆ２は、上記図３に示すデータベース３０の各レコードにおいて名前フィールド３２に割り当てられた文字列に対応する割り付け枠であり、上記割付枠Ｆ４の下側に配置されている。
【００３６】
割付枠Ｆ３は、上記図３に示すデータベース３０の各レコードにおいて性別フィールド３３に割り当てられた文字列に対応する割り付け枠であり、上記割付枠Ｆ２の下側に配置されている。
【００３７】
図２に戻り、印字ラベル作成装置３は、テンプレートＴにより割り付けられる文字列の内容を、データベース３０のレコードにより指定する、いわゆるデータベース印刷を行うことができる。すなわち、予め、テンプレートＴがテンプレート記憶部２０１２に記憶されている。また、事前に、操作端末２側で作成されたデータベース３０が、操作端末２から通信制御部１５を介して送信され、印字ラベル作成装置３において通信制御部２０８を介して受信されて、データベース記憶部２０１１に記憶される。そして、操作者により操作端末２の操作部１４が操作され、上記データベース３０の少なくとも１つのレコードを指定する印刷指示が行われると、当該少なくとも１つのレコードを指定した印刷指示信号が、操作端末２から通信制御部１５を介して送信され、印字ラベル作成装置３において通信制御部２０８を介して受信される。すると、搬送装置２０９及び印字ヘッド２０５等が連携して制御され、上記受信された印刷指示信号により指定されたデータベース３０の各レコードごとに、複数のフィールドにそれぞれ割り当てられた複数の文字列が上記テンプレートＴに沿って割り付けられることで、対応する１つの印字ラベルＬが作成される。
【００３８】
ここで、上記のように事前にデータベース記憶部２０１１に記憶されるデータベース３０の各レコードには、複数のフィールドにそれぞれ割り当てられた複数の文字列が含まれるのみである。本実施形態の最大の特徴は、上記のように印字ラベル作成装置３において通信制御部２０８を介して受信された印刷指示信号が指定する上記データベース３０の少なくとも１つのレコードのうちに、特定の文字列が含まれているレコードが存在する場合には、特定の文字列が含まれているレコードに関して、印字ラベル作成装置３側独自に当該特定の文字列を特定の画像又はシンボルに変換し、当該特定の文字列に代えてその変換した特定の画像又はシンボルを上記テンプレートＴに沿って割り付けることで、対応する印字ラベルＬを作成することにある。以下、図５〜図７等を参照しつつ、その詳細を順を追って説明する。
【００３９】
すなわち、本実施形態では、上記のように印字ラベル作成装置３側独自に特定の文字列を特定の画像又はシンボルに変換可能とするために、印字ラベル作成装置３の記憶装置２０１には、さらに、特定の文字列と当該特定の文字列を変換するための特定の画像又はシンボルとを対応付けたレコード（変換用相関）を含むテーブル４０（後述の図５参照）が記憶されるテーブル記憶部２０１３（第３記憶手段）が設けられている（図２参照）。本実施形態では、操作端末２側で作成されたテーブル４０が、操作端末２から通信制御部１５を介して送信され、印字ラベル作成装置３において通信制御部２０８を介して受信されて、テーブル記憶部２０１３に記憶されるようになっている。
【００４０】
図５に、上記テーブル４０の一例を示す。
【００４１】
図５に示すテーブル４０では、横１行のデータ群を１つのレコードとして、各レコードに、特定の文字列を割り当てた文字列フィールド４１、及び、特定の画像又はシンボルを割り当てた画像・シンボルフィールド４２が含まれている。
【００４２】
例えば、このテーブル４０の１行目のレコードでは、文字列フィールド４１に特定の文字列として「男」、画像・シンボルフィールド４２に特定のシンボルとして「♂」シンボルＳｙ１が、それぞれ割り当てられることで、「男」と「♂」シンボルＳｙ１とが対応付けられている。同様に、２行目のレコードでは、文字列フィールド４１に特定の文字列として「女」、画像・シンボルフィールド４２に特定のシンボルとして「♀」シンボルＳｙ２が、それぞれ割り当てられることで、「女」と「♀」シンボルＳｙ２とが対応付けられている。同様に、３行目のレコードでは、文字列フィールド４１に特定の文字列として「お祝い」、画像・シンボルフィールド４２に特定の画像として「クラッカー」画像Ｐ１が、それぞれ割り当てられることで、「お祝い」と「クラッカー」画像Ｐ１とが対応付けられている。同様に、４行目のレコードでは、文字列フィールド４１に特定の文字列として「子供」、画像・シンボルフィールド４２に特定の画像として「男児」画像Ｐ２が、それぞれ割り当てられることで、「お祝い」と「男児」画像Ｐ２とが対応付けられている。同様に、５行目のレコードでは、文字列フィールド４１に特定の文字列として「ペット」、画像・シンボルフィールド４２に特定の画像として「犬」画像Ｐ３が、それぞれ割り当てられることで、「ペット」と「犬」画像Ｐ３とが対応付けられている。同様に、６行目のレコードでは、文字列フィールド４１に特定の文字列として「キッチン」、画像・シンボルフィールド４２に特定の画像として「砂糖」画像Ｐ４が、それぞれ割り当てられることで、「キッチン」と「砂糖」画像Ｐ４とが対応付けられている。同様に、７行目のレコードでは、文字列フィールド４１に特定の文字列として「ビジネス」、画像・シンボルフィールド４２に特定の画像として「携帯電話」画像Ｐ５が、それぞれ割り当てられることで、「ビジネス」と「携帯電話」画像Ｐ５とが対応付けられている。
【００４３】
また、本実施形態では、印字ラベル作成装置３の操作部２０６により、上記のようにテーブル記憶部２０１３に記憶されたテーブル４０のレコードの内容（特定の文字列と特定の画像又はシンボルとの対応付け）を、変更操作可能となっている。
【００４４】
図６に、上記図５に示すテーブル４０のレコードの内容が変更された後の態様のテーブル４０の一例を示す。
【００４５】
図６に示すテーブル４０では、上記図５に示すテーブル４０の３行目のレコードにおいて変換フィールド４２に割り当てられていた「クラッカー」画像Ｐ１が特定の画像としての「ケーキ」画像Ｐ６に変更されることで、上記「お祝い」と「ケーキ」画像Ｐ６とが対応付けられた態様に変更されている。同様に、上記図５に示すテーブル４０の４行目のレコードにおいて変換フィールド４２に割り当てられていた「男児」画像Ｐ２が特定の画像としての「女児」画像Ｐ７に変更されることで、上記「子供」と「女児」画像Ｐ７とが対応付けられた態様に変更されている。同様に、上記図５に示すテーブル４０の５行目のレコードにおいて変換フィールド４２に割り当てられていた「犬」画像Ｐ３が特定の画像としての「猫」画像Ｐ８に変更されることで、上記「ペット」と「猫」画像Ｐ８とが対応付けられた態様に変更されている。同様に、上記図５に示すテーブル４０の６行目のレコードにおいて変換フィールド４２に割り当てられていた「砂糖」画像Ｐ４が特定の画像としての「さくらんぼ」画像Ｐ９に変更されることで、上記「キッチン」と「さくらんぼ」画像Ｐ９とが対応付けられた態様に変更されている。同様に、上記図５に示すテーブル４０の７行目のレコードにおいて変換フィールド４２に割り当てられていた「携帯電話」画像Ｐ５が特定の画像としての「パソコン」画像Ｐ１０に変更されることで、上記「ビジネス」と「パソコン」画像Ｐ１０とが対応付けられた態様に変更されている。
【００４６】
そして、上記のようにして印字ラベル作成装置３において通信制御部２０８を介して印刷指示信号が受信された場合には、その受信された印刷指示信号が指定する上記データベース３０の少なくとも１つのレコードそれぞれに関して、特定の文字列が含まれているか否かの判定が行われる。そして、特定の文字列が含まれており上記判定が満たされたレコードに関して、当該特定の文字列が上記テーブル３０の対応するレコードを用いて対応する特定の画像又はシンボルに置き換えられ、当該特定の文字列に代えてその置き換えられた特定の画像又はシンボルが上記テンプレートＴに沿って割り付けられることで、対応する印字ラベルＬが作成される。
【００４７】
例えば、印字ラベル作成装置３において通信制御部２０８を介して上記図３に示すデータベース３０の１〜３行目のレコードを指定する印刷指示信号が受信された場合を考える。
【００４８】
この場合には、上記図３に示すデータベース３０の１行目のレコードに関して、性別フィールド３２に特定の文字列である「男」、分類フィールド３４に特定の文字列である「お祝い」が、それぞれ割り当てられているので、上記判定が満たされて、上記図６に示すテーブル４０で「男」が文字列フィールド４１に割り当てられた１行目のレコードを用いて、「男」が変換フィールド４２に割り当てられた「♂」シンボルＳｙ１に置き換えられると共に、上記図６に示すテーブル４０で「お祝い」が文字列フィールド４１に割り当てられた３行目のレコードを用いて、「お祝い」が変換フィールド４２に割り当てられた「ケーキ」画像Ｐ６に置き換えられる。
【００４９】
また、上記図３に示すデータベース３０の２行目のレコードに関して、性別フィールド３２に特定の文字列である「男」、分類フィールド３４に特定の文字列である「子供」が、それぞれ割り当てられているので、上記判定が満たされて、上記図６に示すテーブル４０で「男」が文字列フィールド４１に割り当てられた１行目のレコードを用いて、「男」が変換フィールド４２に割り当てられた「♂」シンボルＳｙ１に置き換えられると共に、上記図６に示すテーブル４０で「子供」が文字列フィールド４１に割り当てられた４行目のレコードを用いて、「子供」が変換フィールド４２に割り当てられた「女児」画像Ｐ７に置き換えられる。
【００５０】
さらに、上記図３に示すデータベース３０の３行目のレコードに関して、性別フィールド３２に特定の文字列である「女」、分類フィールド３４に特定の文字列である「ペット」が、それぞれ割り当てられているので、上記判定が満たされて、上記図６に示すテーブル４０で「女」が文字列フィールド４１に割り当てられた２行目のレコードを用いて、「女」が変換フィールド４２に割り当てられた「♀」シンボルＳｙ２に置き換えられると共に、上記図６に示すテーブル４０で「ペット」が文字列フィールド４１に割り当てられた５行目のレコードを用いて、「ペット」が変換フィールド４２に割り当てられた「猫」画像Ｐ８に置き換えられる。
【００５１】
そして、上記図３に示すデータベース３０の１行目のレコードに関して、番号フィールド３１に割り当てられた「１」、名前フィールド３２に割り当てられた「鈴木」、性別フィールド３３に割り当てられた「男」に代えて上記置き換えられた「♂」シンボルＳｙ１、及び、分類フィールド３４に割り当てられた「お祝い」に代えて上記置き換えられた「ケーキ」画像Ｐ６が上記図４に示すテンプレートＴに沿って割り付けられることで、対応する１つの印字ラベルＬ（図７上段参照）が作成される。
【００５２】
また、上記図３に示すデータベース３０の２行目のレコードに関して、番号フィールド３１に割り当てられた「２」、名前フィールド３２に割り当てられた「伊藤」、性別フィールド３３に割り当てられた「男」に代えて上記置き換えられた「♂」シンボルＳｙ１、及び、分類フィールド３４に割り当てられた「子供」に代えて上記置き換えられた「女児」画像Ｐ７が上記図４に示すテンプレートＴに沿って割り付けられることで、対応する１つの印字ラベルＬ（図７中段参照）が作成される。
【００５３】
また、上記図３に示すデータベース３０の３行目のレコードに関して、番号フィールド３１に割り当てられた「３」、名前フィールド３２に割り当てられた「河合」、性別フィールド３３に割り当てられた「女」に代えて上記置き換えられた「♀」シンボルＳｙ２、及び、分類フィールド３４に割り当てられた「ペット」に代えて上記置き換えられた「猫」画像Ｐ８が上記図４に示すテンプレートＴに沿って割り付けられることで、対応する１つの印字ラベルＬ（図７下段参照）が作成される。
【００５４】
次に、図８を参照しつつ、上記を実現するために印字ラベル作成装置３の制御回路２０２が実行する制御手順を説明する。
【００５５】
図８において、このフローに示す処理は、例えば印字ラベル作成装置３の電源がオンされることにより開始される。
【００５６】
まず、ステップＳ１０で、制御回路２０２は、操作者により操作部２０６を介して操作端末２側で作成されたデータベース３０を受信する操作が行われたか否かを判定する。上記操作が行われた場合には、ステップＳ１０の判定が満たされて（Ｓ１０：ＹＥＳ）、ステップＳ２０に移り、制御回路２０２は、操作端末２から通信制御部１５を介して送信されたデータベース３０を通信制御部２０８を介して受信し、記憶装置２０１のデータベース記憶部２０１１に記憶させ、ステップＳ３０に移る。なお、このステップＳ２０を実行する制御回路２０２が、取得手段として機能する。一方、上記操作が行われなかった場合には、ステップＳ１０の判定は満たされず（Ｓ１０：ＮＯ）、上記ステップＳ２０をスキップし、ステップＳ３０に直接移る。
【００５７】
ステップＳ３０では、制御回路２０２は、操作者により操作部２０６を介して操作端末２側で作成されたテーブル４０を受信する操作が行われたか否かを判定する。上記操作が行われた場合には、ステップＳ３０の判定が満たされて（Ｓ３０：ＹＥＳ）、ステップＳ４０に移り、制御回路２０２は、操作端末２から通信制御部１５を介して送信されたテーブル４０を通信制御部２０８を介して受信し、記憶装置２０１のテーブル記憶部２０１２に記憶させ、ステップＳ５０に移る。なお、このステップＳ４０を実行する制御回路２０２が、第２受信手段として機能する。一方、上記操作が行われなかった場合には、ステップＳ３０の判定は満たされず（Ｓ３０：ＮＯ）、上記ステップＳ４０をスキップし、ステップＳ５０に直接移る。
【００５８】
ステップＳ５０では、制御回路２０２は、操作者により操作部２０６を介してテーブル記憶部２０１３に記憶されたテーブル４０のレコードの内容を変更する操作が行われたか否かを判定する。上記操作が行われた場合には、ステップＳ５０の判定が満たされて（Ｓ５０：ＹＥＳ）、ステップＳ６０に移り、制御回路２０２は、上記操作によりテーブル４０のレコードの内容が変更された後の態様のテーブル４０を記憶装置２０１のテーブル記憶部２０１２に記憶（上書き保存）させ、ステップＳ７０に移る。一方、上記操作が行われなかった場合には、ステップＳ５０の判定は満たされず（Ｓ５０：ＮＯ）、上記ステップＳ６０をスキップし、ステップＳ７０に直接移る。
【００５９】
ステップＳ７０では、制御回路２０２は、操作端末２から通信制御部１５を介して送信された印刷指示信号を通信制御部２０８を介して受信したか否かを判定する。印刷指示信号を受信していない場合には、ステップＳ７０の判定は満たされず（Ｓ７０：ＮＯ）、上記ステップＳ１０に戻り同様の手順を繰り返す。一方、印刷指示信号を受信した場合には、ステップＳ７０の判定が満たされて（Ｓ７０：ＹＥＳ）、ステップＳ８０に移る。なお、ステップＳ７０を実行する制御回路２０２が、第１受信手段として機能する。
【００６０】
ステップＳ８０では、制御回路２０２は、上記ステップＳ７０で受信された印刷指示信号が指定する上記データベース記憶部２０１１に記憶されたデータベース３０の少なくとも１つのレコードそれぞれに関して、特定の文字列が含まれているかを判定する。なお、ステップＳ８０を実行する制御回路２０２が、判定手段として機能する。特定の文字列が含まれているレコードに関しては、ステップＳ８０の判定が満たされて（Ｓ８０：ＹＥＳ）、ステップＳ９０に移る。
【００６１】
ステップＳ９０では、制御回路２０２は、上記特定の文字列が含まれているレコードに関して、当該特定の文字列を、上記テーブル記憶部２０１３に記憶されたテーブル４０の対応するレコードを用いて、対応する特定の画像又はシンボルに変換する。
【００６２】
その後、ステップＳ１００に移り、制御回路２０２は、上記特定の文字列が含まれているレコードに関して、当該レコードに含まれる特定の文字列以外の文字列と、上記ステップＳ９０で変換された特定の画像又はシンボルとを、上記テンプレート記憶部２０１２に記憶されたテンプレートＴに沿って割り付けるための印字データを生成する。その後、後述のステップＳ２００に移る。
【００６３】
一方、ステップＳ８０において、特定の文字列が含まれていないレコードに関しては、ステップＳ８０の判定が満たされず（Ｓ８０：ＮＯ）、ステップＳ１１０に移る。
【００６４】
ステップＳ１１０では、制御回路２０２は、上記特定の文字列が含まれていないレコードに関して、当該レコードに含まれる複数の文字列を、上記テンプレート記憶部２０１２に記憶されたテンプレートＴに沿って割り付けるための印字データを生成する。
【００６５】
そして、ステップＳ２００で、制御回路２０２は、上記ステップＳ９０又はステップＳ１１０で生成された印字データを用いて、上記ステップＳ７０で受信された印刷指示信号が指定する上記データベース記憶部２０１１に記憶されたデータベース３０の各レコードごとに、１つの印字ラベルＬを作成するように、搬送装置２０９及び印字ヘッド２０５等を連携して制御する、ラベル作成処理（詳細は後述）を実行する。なお、上記ステップＳ１００、ステップＳ１１０、及びステップＳ２００を実行する制御回路２０２が、制御手順として機能する。これにより、このフローに示す処理が終了される。
【００６６】
次に、図９を参照しつつ、上記ステップＳ２００のラベル作成処理の詳細手順を説明する。
【００６７】
図９において、ステップＳ２１０で、制御回路２０２は、搬送装置２０９に制御信号を出力し、テープ２０３の搬送を開始させる。
【００６８】
その後、ステップＳ２２０に移り、制御回路２０２は、テープ２０３の搬送方向位置が所定の印字開始位置に達したか否かを公知の手法で判定する。印字開始位置に達するまでは、ステップＳ２２０の判定が満たされず（Ｓ２２０：ＮＯ）、上記ステップＳ２１０に戻り同様の手順を繰り返す。印字開始位置に達したら、ステップＳ２２０の判定が満たされて（Ｓ２２０：ＹＥＳ）、ステップＳ２３０に移る。
【００６９】
ステップＳ２３０では、制御回路２０２は、印字ヘッド２０５に制御信号を出力し、テープ２０３への上記ステップＳ９０又はステップＳ１１０で生成された印字データの印字を開始させる。
【００７０】
そして、ステップＳ２４０で、制御回路２０２は、テープ２０３の搬送方向位置が所定の印字終了位置に達したか否かを公知の手法で判定する。印字終了位置に達するまでは、ステップＳ２４０の判定は満たされず（Ｓ２４０：ＮＯ）、ループ待機する。印字終了位置に達したら、ステップＳ２４０の判定が満たされて（Ｓ２４０：ＹＥＳ）、ステップＳ２５０に移る。
【００７１】
ステップＳ２５０では、制御回路２０２は、印字ヘッド２０５に制御信号を出力し、テープ２０３への印字を終了させる。
【００７２】
その後、ステップＳ２６０に移り、制御回路２０２は、テープ２０３の搬送方向位置がテープ切断位置に達したか否かを公知の手法で判定する。テープ切断位置に達するまでは、ステップＳ２６０の判定は満たされず（Ｓ２６０：ＮＯ）、ループ待機する。テープ切断位置に到達したら、ステップＳ２６０の判定が満たされて（Ｓ２６０：ＹＥＳ）、ステップＳ２７０に移る。
【００７３】
ステップＳ２７０では、制御回路２０２は、搬送装置２０９に制御信号を出力し、テープ２０３の搬送を停止させる。
【００７４】
そして、ステップＳ２８０で、制御回路２０２は、カッタ２０７に制御信号を出力し、印字の終了したテープ２０３を切断させることで、上記ステップＳ９０又はステップＳ１１０で生成された印字データの印字を備えた印字ラベルＬが生成される。これにより、このルーチンに示す処理が終了される。
【００７５】
以上説明したように、本実施形態では、印字ラベル作成装置３側独自に、特定の文字列を、対応する特定の画像又はシンボルに変換することができる。そのために、印字ラベル作成装置３にテーブル記憶部２０１３が設けられ、このテーブル記憶部２０１３に、上記変換を行うための、特定の文字列と特定の画像又はシンボルとを対応付けたレコードを含むテーブル４０が記憶されている。そして、上記のようにして印字ラベル作成装置３において通信制御部２０８を介して印刷指示信号が受信された場合には、その受信された印刷指示信号が指定するレコードに、特定の文字列が含まれているか否かの判定が行われる。特定の文字列が含まれており上記判定が満たされた場合には、当該特定の文字列が上記テーブル４０の対応するレコードを用いて対応する特定の画像又はシンボルに置き換えられる。そして、当該特定の文字列に代えてその置き換えられた特定の画像又はシンボルが上記テンプレートＴに沿って割り付けられて、対応する印字ラベルＬが作成される。
【００７６】
以上のようにして、本実施形態の印字ラベル作成装置３では、特定の文字列を特定の画像又はシンボルに自ら変換する機能を備えることにより、操作端末２側からの指示は従来通りの文字列を含むレコードに対する印刷指示としつつ、実際に作成される印字ラベルＬにおける表現力を広く拡張することができる。この結果、操作者の利便性を向上することができる。
【００７７】
また、本実施形態では特に、操作端末２から通信制御部１５を介して送信されたテーブル４０が、印字ラベル作成装置３において通信制御部２０８を介して受信され、テーブル記憶部２０１３に記憶される。これにより、操作端末２から印字ラベル作成装置３に印刷指示を行う前に、別の外部装置等から事前にテーブル４０を印字ラベル作成装置３へ送信したり、印字ラベル作成装置３の操作部２０６を操作して事前にテーブル４０を作成しておく必要がない。これにより、さらに操作者の利便性を向上することができる。
【００７８】
また、本実施形態では特に、印字ラベル作成装置３が、通信制御部２０５を介して受信されてテーブル記憶部２０１３に記憶されたテーブル４０のレコードの内容を、変更操作可能な操作部２０６を有する。これにより、一旦、操作端末２から受信されて記憶されたテーブル４０のレコードを、さらに印字ラベル作成装置３側で操作者の所望の内容に変更することができる。この結果、さらに印字ラベルＬにおける表現力を広く拡張することができ、利便性をさらに向上することができる。
【００７９】
なお、本発明は、上記実施形態に限られるものではなく、その趣旨及び技術的思想を逸脱しない範囲内で種々の変形が可能である。
【００８０】
例えば、上記実施形態では、操作端末２側で作成されたテーブル４０が、操作端末２から通信制御部１５を介して送信され、印字ラベル作成装置３において通信制御部２０８を介して受信されて、テーブル記憶部２０１３に記憶されていたが、これに限られない。すなわち、予め、テーブル４０がテーブル記憶部２０１３に記憶されていてもよい。
【００８１】
また、上記実施形態では、印字の終了したテープ２０３をカッタ２０７で切断して印字ラベルＬを生成する場合を例にとって説明したが、これに限られない。すなわち、ラベルに対応した所定の大きさに予め分離されたラベル台紙（いわゆるダイカットラベル）がロールから繰り出されるテープ上に連続配置されているような場合には、カッタ２０７で切断しなくてもテープが図示しない排出口から排出されてきた後にラベル台紙（対応する印字がなされたもの）のみをテープから剥がして印字ラベルＬを生成してもよく、本発明はこのようなものに対しても適用できる。
【００８２】
また、上記実施形態では、テープ２０３に印字を行う方式（貼り合わせを行わないタイプ）であったが、これに限られず、テープ２０３とは別の被印字媒体（例えばカバーフィルム等）に印字を行ってこれらを貼り合わせる方式に本発明を適用してもよい。
【００８３】
さらに、上記実施形態では、テープ２０３が巻回されてテープロール２０４を構成し、テープロール２０４からテープ２０３が繰り出される場合を例にとって説明したが、これに限られない。例えば、長尺平紙状あるいは短冊状のテープやシート（ロールに巻回されたテープを繰り出した後に適宜の長さに切断して形成したものを含む）を、所定の収納部にスタックし（例えばトレイ状のものに平積み積層し）、当該収納部から移送・搬送して印字を行うことで印刷物を作成してもよい。
【００８４】
さらには長尺平紙状あるいは短冊状のテープやシートを印字ラベル作成装置３外より１枚ずつ所定のフィーダ機構により移送し印字ラベル作成装置３内へ供給する構成も考えられ、さらには印字ラベル作成装置３側に着脱不能のいわゆる据え付け型あるいは一体型としてテープロール２０４を設けることも考えられる。この場合も同様の効果を得る。
【００８５】
また、図２中に示す矢印は、信号の流れの一例を示すものであり、信号の流れ方向を限定するものではない。
【００８６】
また、図８及び図９に示すフローチャート及びルーチンは、本発明を図示する手順に限定するものではなく、発明の趣旨及び技術的思想を逸脱しない範囲内で手順の追加・削除又は順番の変更等をしてもよい。
【００８７】
また、以上既に述べた以外にも、上記実施形態や各変形例による手法を適宜組み合わせて利用してもよい。
【００８８】
その他、一々例示はしないが、本発明は、その趣旨を逸脱しない範囲内において、種々の変更が加えられて実施されるものである。
【符号の説明】
【００８９】
２                操作端末
３                印字ラベル作成装置（印刷物作成装置）
３０              データベース
３１              番号フィールド
３２              名前フィールド
３３              性別フィールド
３４              分類フィールド
４０              テーブル
２０２            制御回路
２０３            テープ（被印字媒体）
２０５            印字ヘッド（印字手段）
２０６            操作部（操作手段）
２０８            通信制御部
２０９            搬送装置（搬送手段）
２０１１          データベース記憶部（第１記憶手段）
２０１２          テンプレート記憶部（第２記憶手段）
２０１３          テーブル記憶部（第３記憶手段）
Ｌ                印字ラベル（印刷物）
Ｐ１              「クラッカー」画像（特定の画像）
Ｐ２              「男児」画像（特定の画像）
Ｐ３              「犬」画像（特定の画像）
Ｐ４              「砂糖」画像（特定の画像）
Ｐ５              「携帯電話」画像（特定の画像）
Ｐ６              「ケーキ」画像（特定の画像）
Ｐ７              「女児」画像（特定の画像）
Ｐ８              「猫」画像（特定の画像）
Ｐ９              「さくらんぼ」画像（特定の画像）
Ｐ１０            「パソコン」画像（特定の画像）
Ｓｙ１            「♂」シンボル（特定のシンボル）
Ｓｙ２            「♀」シンボル（特定のシンボル）
Ｔ                テンプレート
【図１】
2014188778.tif 000003
【図２】
2014188778.tif 000004
【図３】
2014188778.tif 000005
【図４】
2014188778.tif 000006
【図５】
2014188778.tif 000007
【図６】
2014188778.tif 000008
【図７】
2014188778.tif 000009
【図８】
2014188778.tif 000010
【図９】
2014188778.tif 000011